(57)【特許請求の範囲】
【請求項１】
ペースト状物品が充填された硬質又は軟質容器から前記ペースト状物品を押出すための押出しガンであって、前記容器を収容するための開口収容部を有しかつ長手方向に直交した断面における形状が半円状の保持台と、先端に押圧部材を設けかつ前記保持台上を前進後退可能とされた押出しロッドと、前記保持台の径と略同一径を有し前記保持台の軸線の周りを前記保持台の周面に沿って回動かつ摺動可能とされ長手方向に直交した断面における形状が全長に亘って半円状のカバー部材と、
前記保持台の前方端に形成され、Ｕ字状の切り欠きを有する固定保持板と、
前記カバー部材の長手方向片端部に設けられた突起部と、
を含み、前記カバー部材が、前記開口収容部を開口して前記容器を収容する収容位置及び前記開口収容部に前記容器を収容して前記保持台と前記カバー部材とが円筒形を形成するように前記カバー部材を回動かつ摺動せしめて前記開口収容部の少なくとも一部を覆う遮蔽位置に変位可能とされてなり、
前記カバー部材がその長手方向両端部に長手方向に直交して設けられた摺動溝を有し、前記保持台の長手方向両端部に設けられた係合部材を前記摺動溝に摺動可能に係合せしめることにより、前記カバー部材が前記保持台の軸線の周りを前記保持台の周面に沿って回動かつ摺動可能とされてなり、
前記押出しロッドの先端に設けられた押圧部材が、押圧板本体と前記押圧板本体の周縁に設けられた側壁とを有するカップ状押圧部材であり、前記保持台の開口収容部に前記容器を収容し、前記側壁で前記容器の後端部を囲繞しつつ前記押圧板本体で押圧することにより、前記容器を押圧する際の妄動を防止するようにしたことを特徴とする押出しガン。
【請求項２】
前記カバー部材が、前記保持台の開口収容部の長手方向少なくとも三分の一の長さを有し、前記開口収容部の先端側を遮蔽可能とされてなることを特徴とする請求項１記載の押出しガン。
【請求項３】
前記カバー部材が前記保持台の内周面に沿って回動かつ摺動可能とされてなることを特徴とする請求項１又は２記載の押出しガン。
【請求項４】
前記カバー部材が前記保持台の外周面に沿って回動かつ摺動可能とされてなることを特徴とする請求項１又は２記載の押出しガン。
【発明の詳細な説明】
【技術分野】
【０００１】
本発明は、ペースト状物品が充填された硬質又は軟質容器から内容物を押出すための押出しガン、特に、主に建築等で使用される粘性の大きい材料、例えばシーリング材、接着剤等を充填した容器から内容物を押出すための押出しガンに関する。
【背景技術】
【０００２】
従来、ペースト状物品を充填した容器から内容物を押出すための道具として、押出しガンが知られている。押出しガンが使用されるペースト状物品の代表的なものとしてはシーリング材や接着剤等がある。
【０００３】
このようなペースト状物品を充填した容器から内容物を押出すための押出しガンとして、シーリング材や接着剤を紙やプラスチック等の硬質材料でできたカートリッジに充填し、押出しガンに装填してシーリング材を押し出すようにしたカートリッジタイプの押出しガンが現在広く用いられている。カートリッジタイプの押出しガンとして、例えば、本願出願人は、特許文献１に示す発明を既に提案している。
【０００４】
しかしながら、硬質材料を用いたカートリッジタイプの容器を使用した場合には、シーリング材等を押出して使い切った後のカートリッジを廃棄するにあたり、廃棄物の体積や重量が多くなるという問題があった。
【０００５】
そこで、柔軟なフィルムでできたソーセージ型の容器が開発された。フィルムであるので廃棄物は軽量、また使用時にフィルムが折りたたまれ体積も小さい。このようなフィルムを用いたフィルムパックからシーリング材や接着剤等を押出すために用いられる押出しガンの場合には、フィルムパックをシリンダ体（又は円筒アダプター）に収納し、シリンダ体内に収納されたソーセージ型フィルムパックを押出しロッドを前進させ押圧板で押圧することにより、フィルムパック内のシーリング材等をノズルから吐出させる。ソーセージ型フィルムパックタイプの押出しガンとして、例えば、本願出願人は、特許文献２に示す発明を既に提案している。
【０００６】
また、カートリッジタイプの押出しガンを用いてソーセージ型フィルムパックからのシーリング材等を押出し吐出させることができるようにし、カートリッジタイプの押出しガンがあればソーセージ型フィルムパックタイプの押出しガンを別途購入使用する必要はないようにしたフィルムパック用押出し機構として、本願出願人は、特許文献３に示す発明を既に提案している。
【０００７】
さらにまた、先端部に開閉可能な蓋を有する押出しガン（特許文献４及び特許文献５）や、ヒンジ等で開閉可能な円筒を使用したペースト状物品のディスペンサ（特許文献６）等も提案されている。
【０００８】
一方、最近では、硬質のカートリッジ容器を用いなくとも押出しガンに装填可能なシーラント収容パウチとして、特許文献７に記載されたものも知られている。この特許文献７に記載のシーラント収容パウチは、前述したようなソーセージ型フィルムパックの片方にノズルを着脱自在に設けたノズル付フィルムパックタイプのものである。
【０００９】
さらに、最近では、カートリッジ容器を軟質材料で作製し、カートリッジ容器をコンパクトに圧縮可能とした軟質のカートリッジ容器等も提案されている（特許文献８及び特許文献９）。
【００１０】
このように、昨今では、ペースト状物品を充填した容器は、容器が硬質のタイプと軟質のタイプが存在するため、その両者どちらにも簡便に利用できる押出しガンが望まれていた。
【００１１】
例えば、上記した特許文献２及び特許文献３に記載されたようなシリンダ体（円筒アダプター）にソーセージ型フィルムパックを装填するタイプの押出ガンでは、ペースト状物品を充填した軟質容器に好適に用いられるが、シリンダ体のような余分な部材が必要で作業が煩雑となるおそれがある。
【００１２】
また、特許文献４や特許文献５に記載されたような先端部に開閉可能な蓋を有するタイプの押出ガンを使用する場合であっても作業が煩雑となるおそれがある。
【００１３】
さらに、特許文献６に記載されたようなヒンジ等で開閉可能な蓋を設けたディスペンサーを使用する場合、作業は煩雑ではないが、上記した硬質のカートリッジ容器を使用する際にも蓋を閉じる必要があり、使用中の該カートリッジ容器の状況が把握できない。また、蓋を開いた時に蓋の重みで押出しガンの重心がずれて押出しガンを持ちにくい場合がある。このことは、特に高所作業中の場合には危険な場合がある。
【先行技術文献】
【特許文献】
【００１４】
【特許文献１】特開平４−２５３６７１号公報
【特許文献２】特開平４−２７９４５８号公報
【特許文献３】特開平９−３１４０１２号公報
【特許文献４】特開２００１−１４９８４７号公報
【特許文献５】特開２００１−１６２２０８号公報
【特許文献６】特開平３−２００５７６号公報
【特許文献７】特開２００１−２２５８５３号公報
【特許文献８】特開平７−１７１４６１号公報
【特許文献９】特開２００２−１０４４４８号公報
【発明の概要】
【発明が解決しようとする課題】
【００１５】
本発明は、上記問題点に鑑みてなされたもので、ペースト状物品を充填した容器が硬質のタイプと軟質のタイプの両者どちらにも簡便に利用でき、カートリッジ装填時の重心バランスの良い押出しガンを提供することを目的とする。
【課題を解決するための手段】
【００１６】
上記課題を解決するために、本発明に係る押出しガンは、ペースト状物品が充填された硬質又は軟質容器から前記ペースト状物品を押出すための押出しガンであって、前記容器を収容するための開口収容部を有しかつ長手方向に直交した断面における形状が半円状の保持台と、先端に押圧部材を設けかつ前記保持台上を前進後退可能とされた押出しロッドと、前記保持台の径と略同一径を有し前記保持台の軸線の周りを前記保持台の周面に沿って回動かつ摺動可能とされ長手方向に直交した断面における形状が全長に亘って半円状のカバー部材と、前記保持台の前方端に形成され、Ｕ字状の切り欠きを有する固定保持板と、前記カバー部材の長手方向片端部に設けられた突起部と、を含み、前記カバー部材が、前記開口収容部を開口して前記容器を収容する収容位置及び前記開口収容部に前記容器を収容して前記保持台と前記カバー部材とが円筒形を形成するように前記カバー部材を回動かつ摺動せしめて前記開口収容部の少なくとも一部を覆う遮蔽位置に変位可能とされてなり、前記カバー部材がその長手方向両端部に長手方向に直交して設けられた摺動溝を有し、前記保持台の長手方向両端部に設けられた係合部材を前記摺動溝に摺動可能に係合せしめることにより、前記カバー部材が前記保持台の軸線の周りを前記保持台の周面に沿って回動かつ摺動可能とされてなり、前記押出しロッドの先端に設けられた押圧部材が、押圧板本体と前記押圧板本体の周縁に設けられた側壁とを有するカップ状押圧部材であり、前記保持台の開口収容部に前記容器を収容し、前記側壁で前記容器の後端部を囲繞しつつ前記押圧板本体で押圧することにより、前記容器を押圧する際の妄動を防止するようにしたことを特徴とする。
【００１７】
前記ペースト状物品としては、ペースト状の物品であればよいものであるが、特に、主に建築等で使用される粘性の大きい材料、例えばシーリング材、接着剤等の湿気硬化性ペースト状物品が好適である。
【００１８】
ペースト状物品が充填された容器が硬質容器の場合には前記カバー部材を収容位置に位置せしめて前記容器を収容し、前記カバー部材を収容位置にせしめたまま使用することができる。前記容器が軟質容器の場合には前記カバー部材を収容位置に位置せしめて前記容器を収容し、前記カバー部材を遮蔽位置に位置せしめて前記容器から前記ペースト状物品を押出すようにすればよい。前記容器が硬質容器の場合には前記カバー部材を遮蔽位置に位置せしめ前記容器から前記ペースト状物品を押出すことも可能である。
【００１９】
このように構成することで、ペースト状物品が充填された容器が上述した硬質のカートリッジ容器等の場合には、前記カバー部材を収容位置に位置せしめて使用できるので使用中の該カートリッジ容器の状況が把握できるという利点がある。また、上述したようにヒンジで開閉可能な蓋を設けたディスペンサーを使用する場合には、蓋を開いた時に蓋の重みで押出しガンの重心がずれて押出しガンを持ちにくい場合があるが、本発明では、前記断面半円状のカバー部材が、前記保持台の径と略同一径を有し前記保持台の軸線の周りを前記保持台の周面に沿って回動かつ摺動可能とされているので、前記カバー部材を前記開口収容部を開口して前記容器を収容する収容位置に位置せしめておけば、押出しガンの重心がずれて押出しガンを持ちにくくなる心配もない。
【００２０】
ペースト状物品が充填された容器が上述した軟質容器の場合には、前記カバー部材を遮蔽位置に位置せしめて前記容器から前記ペースト状物品を押出すようにすれば、前記軟質容器が前記保持台から飛び出してしまったりするおそれがなく、安定して好適に押し出すことができる。
【００２１】
また、前記カバー部材は、前記保持台の開口収容部の長手方向少なくとも三分の一の長さを有し、前記開口収容部の先端側を遮蔽可能とされてなるのが好ましい。
【００２２】
前記カバー部材が、前記保持台の内周面に沿って回動かつ摺動可能とされてなるのが好適である。
【００２３】
前記カバー部材が、前記保持台の外周面に沿って回動かつ摺動可能とされるように構成することもできる。
【００２４】
前記カバー部材が、その長手方向両端部に長手方向に直交して設けられた摺動溝を有し、前記保持台の長手方向両端部に設けられた係合部材を前記摺動溝に摺動可能に係合せしめることにより、前記カバー部材が前記保持台の軸線の周りを前記保持台の周面に沿って回動かつ摺動可能とされてなるのが好ましい。このように構成すれば、簡単な構造で前記カバー部材を回動かつ摺動可能に取り付けることができる。
【００２５】
さらに、前記押出しロッドの先端に設けられた押圧部材が、押圧板本体と前記押圧板本体の周縁に設けられた側壁とを有するカップ状押圧部材であり、前記保持台の開口収容部に前記容器を収容し、前記側壁で前記容器の後端部を囲繞しつつ前記押圧板本体で押圧することにより、前記容器を押圧する際の妄動を防止するようにするのが好適である。前記押出しロッドの先端に設けられる押圧部材としては、円板状押圧部材であってもよいが、前記カップ状押圧部材のように構成することで、前記容器を押圧する際の妄動が好適に防止できる利点がある。
【発明の効果】
【００２６】
本発明に係るペースト状物品を充填した容器が硬質のタイプと軟質のタイプの両者どちらにも簡便に利用でき、カートリッジ装填時の重心バランスの良い押出しガンを提供することができるという著大な効果を奏する。
【図面の簡単な説明】
【００２７】
【図１】本発明に係る押出しガンの一つの実施の形態を示す斜視図であって、断面半円状のカバー部材を収容位置とした状態を示す。
【図２】図１の押出しガンの断面半円状のカバー部材を遮蔽位置とした状態を示す。
【図３】図１の押出しガンの要部縦断面図である。
【図４】図１の押出しガンを正面からみた要部拡大図である。
【図５】本発明に係る押出しガンの別の実施の形態を正面からみた要部拡大図である。
【図６】本発明に係る押出しガンの他の実施の形態を示す斜視図であって、断面半円状のカバーを遮蔽位置とした状態を示す。
【図７】本発明に係る押出しガンの押出しロッドを示す要部拡大斜視図であって、（ａ）は先端にカップ状押圧部材を設けた押出しロッド、（ｂ）は先端に円板状押圧部材を設けた押出しロッドである。
【図８】本発明に係る押出しガンに用いられるペースト状物品が充填された容器を示す斜視図であって、ノズル付フィルムパックタイプの容器を示す。
【図９】本発明に係る押出しガン用いられるペースト状物品が充填された容器を示す斜視図であって、シリンダ体内にフィルムパックを収納した状態を示す。
【発明を実施するための形態】
【００２８】
以下に本発明の実施の形態を添付図面に基づいて説明するが、図示例は例示的に示されたもので、本発明の技術的思想から逸脱しない限り種々の変形が可能なことは言うまでもない。なお、添付図面において、同一又は類似部材は同一符号で示してある。
【００２９】
図１において、符号１０Ａは本発明に係る押出しガンの一つの実施の形態を示す。
【００３０】
押出しガン１０Ａは、ペースト状物品が充填された硬質又は軟質容器から前記ペースト状物品を押出すための押出しガンである。押出しガン１０Ａは、シーリング材が充填され、ノズル体１２が先端に螺着せしめられたノズル付フィルムパック１４を収容するための開口収容部１６を有しかつ長手方向に直交した断面における形状が半円状の保持台１８と、先端に押圧部材２０を設けかつ前記保持台１８上を前進後退可能とされた押出しロッド２２と、前記保持台１８の径と略同一径を有し前記保持台１８の軸線の周りを前記保持台１８の周面２４に沿って回動かつ摺動可能とされ長手方向に直交した断面における形状が半円状のカバー部材２６と、を含んでいる。符号２８は保持台１８の前方端に一体に形成された固定保持板であって、Ｕ字状の切り欠き３０が形成されている。この切り欠き３０を通してノズル体１２の先端部が固定保持板２８から突出せしめられる。
【００３１】
前記押出しロッド２２は、後板３２の中心に前進後退可能に取付けられており、作業者が把持部３４を持ってレバー３６を握ることで、押出しロッド２２が前進せしめられる。
【００３２】
前記カバー部材２６は、前記開口収容部１６を開口して前記ノズル付フィルムパック１４を収容する収容位置及び前記開口収容部１６に前記ノズル付フィルムパック１４を収容して前記保持台１８と前記カバー部材２６とが円筒形を形成するように前記カバー部材２６を回動かつ摺動せしめて前記開口収容部１６の少なくとも一部を覆う遮蔽位置に変位可能とされている。図１では、前記カバー部材２６が収容位置にある状態を示している。
【００３３】
ペースト状物品が充填された容器が紙やプラスチックで作製されたカートリッジ容器やソーセージ型フィルムパックをシリンダ体に収納して使用する等の硬質容器の場合には、図１に示すように、前記カバー部材２６が収容位置にある状態で押出し作業を行う。
【００３４】
また、ペースト状物品が充填された容器が軟質のカートリッジ容器やノズル付フィルムパックなどの軟質容器の場合には、前記カバー部材２６を図２に示すように遮蔽位置に位置せしめて前記容器から前記ペースト状物品を押出すようにする。図１及び図２の例では、軟質容器としてノズル付フィルムパック１４を用いた例を示した。なお、前記カバー部材２６の長手方向片端部には、突起部３８が設けられており、前記カバー部材２６を回動させるときに掴み易くされている。前記容器が硬質容器の場合には前記カバー部材２６を遮蔽位置に位置せしめ前記容器から前記ペースト状物品を押出すことも可能である。
【００３５】
また、前記カバー部材２６は、図３によく示される如く、その長手方向両端部に長手方向に直交して設けられた摺動溝４０ａ，４０ｂを有し、前記保持台１８の長手方向両端部に設けられた係合部材４２ａ，４２ｂを前記摺動溝４０ａ，４０ｂに摺動可能に係合せしめることにより、前記カバー部材２６が前記保持台１８の軸線の周りを前記保持台１８の周面２４に沿って回動かつ摺動可能とされている。
【００３６】
前記カバー部材は、前記保持台の軸線の周りを前記保持台の周面に沿って回動かつ摺動可能とされていればよいもので、前記保持台の内周面に沿って回動かつ摺動可能とされてもよいし、前記保持台の外周面に沿って回動かつ摺動可能とされてもよい。図１における保持台１８のように、保持台の強度を確保するため保持台には数個のリブ１９、図１では４個、が設けられていることが多い。この場合、カバー部材２６が、保持台１８の外周面に沿って回動するにはカバー部材２６の径を保持台１８の径よりも少し大きくする必要があり、カバー部材２６を遮蔽位置に位置せしめた場合、保持台１８とカバー部材２６が隙間のない円筒を形成できなくなる。従って、前記カバー部材２６が、前記保持台１８の内周面に沿って回動かつ摺動可能とされてなるのが好ましい。
【００３７】
図１〜図３に示した押出しガン１０Ａの場合は、図４によく示される如く、前記保持台１８の内周面に沿って回動かつ摺動可能とされている。
【００３８】
また、図５に示す押出しガン１０Ｂのように、係合部材（図示例では係合部材４４ａのみ示した）をカバー部材の摺動溝に摺動可能に係合せしめることにより、前記保持台１８の外周面に沿って回動かつ摺動可能としてもよい。なお、図５において、図４と同一の部材は同一符号を用いた。
【００３９】
また、前記カバー部材２６は、前記保持台１８の開口収容部１６の長手方向少なくとも三分の一の長さを有し、前記開口収容部１６の先端側を遮蔽可能とされていれば、ペースト状物品が充填された軟質容器の場合であっても、前記保持台１８から前記容器が飛び出してしまったりするおそれがなく、安定して好適に押し出すことができる。カバー部材２６は開口収容部１６の先端側を遮蔽可能とし、開口収容部１６の長手方向長さより短く、少なくとも開口収容部１６の長手方向長さの三分の一の長さを有していることが好ましい。カバー部材２６は開口収容部１６の先端側を遮蔽していれば、開口収容部１６の長手方向長さの１／３以上２／３以下の長さ、さらには１／３以上１／２以下の長さ、でも可能である。
【００４０】
前記カバー部材の長さを前記保持台１８の開口収容部１６の長手方向およそ三分の一の長さとした例を図６に示す。
【００４１】
図６において、押出しガン１０Ｃは、長手方向に直交した断面における形状が半円状のカバー部材４６が、前記保持台１８の開口収容部１６の長手方向およそ三分の一の長さとされている。前記カバー部材４６は、前記カバー部材４６の長手方向両端部に長手方向に直交して設けられた摺動溝４８ａ，４８ｂを有し、前記保持台１８の長手方向両端部に設けられた係合部材（図示省略）を前記摺動溝４８ａ，４８ｂに摺動可能に係合せしめることにより、前記カバー部材４６が前記保持台１８の軸線の周りを前記保持台１８の内周面に沿って回動かつ摺動可能とされている。なお、図６において、図１〜４と同一の部材は同一符号を用いた。
【００４２】
図１〜４に示した押出しガン１０Ａの場合には、図７（ａ）によく示される如く、押出しロッド２２の先端に設けられた押圧部材２０が、押圧板本体５０と前記押圧板本体５０の周縁に設けられた側壁５２とを有するカップ状押圧部材であり、前記保持台１８の開口収容部１６にノズル付フィルムパック１４を収容し、前記側壁５２で前記ノズル付フィルムパック１４の後端部を囲繞しつつ前記押圧板本体５０で押圧することにより、前記ノズル付フィルムパック１４を押圧する際の妄動を防止するように構成されている。
【００４３】
また、図７（ｂ）に示すように、押出しロッド５４の先端に設けられる押圧部材５６としては、円板状押圧部材であってもよい。
【００４４】
図１〜３及び図６の例では、ペースト状物品が充填された容器として、図８によく示される如く、フィルムパックの後端部がカシメ部材Ｋによってカシメられノズル体１２が先端に螺着せしめられたノズル付フィルムパック１４を示した。
【００４５】
本発明に係る押出しガンは、ペースト状物品が充填された硬質又は軟質容器のいずれにも適用可能であるから、図８に示したようなノズル付フィルムパック１４以外にも、紙やプラスチック等でできたカートリッジなどの硬質容器にも適用可能である。
【００４６】
また、図９に示すような、シリンダ体（円筒アダプター）５８にソーセージ型フィルムパック６０を装填し、シリンダ体５８の先端にノズル体６２を螺着するタイプの容器にも適用可能である。このようなシリンダ体５８にソーセージ型フィルムパック６０を装填するタイプの容器では、上記したカバー部材２６は収容位置のままで使用可能である。
【産業上の利用可能性】
【００４７】
本発明に係る押出しガンは、ペースト状物品が充填された硬質又は軟質容器のいずれにも適用可能であり、特に、主に建築等で使用される粘性の大きい材料、例えばシーリング材、接着剤等を充填した容器から内容物を押出すのに好適に用いることができる。
【符号の説明】
【００４８】
１０Ａ，１０Ｂ，１０Ｃ：押出しガン、１２：ノズル体、１４：ノズル付フィルムパック、１６：開口収容部、１８：断面半円状の保持台、１９：リブ、２０，５６：押圧部材、２２，５４：押出しロッド、２４：周面、２６，４６：断面半円状のカバー部材、２８：固定保持板、３０：Ｕ字状の切り欠き、３２：後板、３４：把持部、３６：レバー、３８：突起部、４０ａ，４０ｂ，４８ａ，４８ｂ：摺動溝、４２ａ，４２ｂ：係合部材、４４ａ：係合部材、５０：押圧板本体、５２：側壁、５８：シリンダ体、６０：ソーセージ型フィルムパック、６２：ノズル体、Ｋ：カシメ部材。
【図１】
0005429618.tif 000002
【図２】
0005429618.tif 000003
【図３】
0005429618.tif 000004
【図４】
0005429618.tif 000005
【図５】
0005429618.tif 000006
【図６】
0005429618.tif 000007
【図７】
0005429618.tif 000008
【図８】
0005429618.tif 000009
【図９】
0005429618.tif 000010